(57)【要約】【課題】電源電圧の遮断時に確実にデータの退避処理を行うことができる電子機器を提供する。【解決手段】電源ユニット１１は、入力電圧に基づいて複数の出力電圧を作成し、各出力電圧を複数の電源チャネルＣＨ１〜ＣＨ３からそれぞれ出力する。電圧検知部１２は、入力電圧の遮断時における出力電圧の立下りタイミングが異なる２つの電源チャネルＣＨ１，ＣＨ２の電圧値を監視し、立下りタイミングが早い第１電源チャネルＣＨ１の電圧値が第１閾値まで低下したことを検出すると、データの退避処理の開始を指示する開始信号ＮＭＩを出力し、立下りタイミングが遅い第２電源チャネルＣＨ２の電圧値が第２閾値まで低下したことを検出すると、電子機器１の動作を停止させるリセット信号ＲＥＳを出力する。制御部１３は、開始信号ＮＭＩを受信すると、データの退避処理を行い、リセット信号ＲＥＳを受信すると、電子機器１の動作を停止させる。【選択図】図１
2008288926.tif 000002
【特許請求の範囲】
【請求項１】
入力電圧に基づいて複数の出力電圧を作成し、各出力電圧を複数の電源チャネルからそれぞれ出力する電源供給部を備える電子機器において、
複数の前記電源チャネルのうち、前記入力電圧の遮断時における出力電圧の立下りタイミングが異なる２つの電源チャネルの電圧値を監視し、立下りタイミングが早い第１電源チャネルの電圧値が第１閾値まで低下したことを検知すると、第１検知信号を出力し、立下りタイミングが遅い第２電源チャネルの電圧値が第２閾値まで低下したことを検知すると、第２検知信号を出力する電圧検知部と、
前記第１検知信号を受信すると、データの退避処理を行い、前記第２検知信号を受信すると、当該電子機器の動作を停止させる制御部とを備えることを特徴とする電子機器。
【請求項２】
請求項１に記載の電子機器において、
前記第２電源チャネルの電流容量は、前記第１電源チャネルの電流容量よりも大きい値に設定されていることを特徴とする電子機器。
【請求項３】
請求項２に記載の電子機器において、
前記第１電源チャネルの定格電圧値は５．０ボルトであり、前記第２電源チャネルの定格電圧値は３．３ボルトであることを特徴とする電子機器。
【発明の詳細な説明】
【技術分野】
【０００１】
本発明は、例えば商用交流電源が停電したときのように電源電圧が急にオフした場合に、データの退避処理を行う電子機器に関する。
【背景技術】
【０００２】
マイクロコンピュータを用いた電子機器では、電源電圧が急にオフした場合、現在ＲＡＭ（Random Access Memory）に展開しているデータを不揮発性メモリに退避させる退避処理が行われる。例えば特許文献１には、電源監視用ＩＣ（Integrated Circuit）を用いて電源電圧を監視し、電源電圧の低下が検出されると、ＣＰＵ（Central Processing Unit）のＮＭＩ（Non Maskable Interrupt）端子に検出信号を出力してデータの退避処理を行う技術が記載されている。また、特許文献２には、パワーオフ時にリセット信号を出力させて電子機器内の回路が誤動作しないようにする技術が記載されている。
【０００３】
即ち、一般的な電子機器では、電源監視用ＩＣによる電源電圧の低下を示す検出信号がＣＰＵのＮＭＩ端子に入力されると、ＣＰＵによるデータの退避処理が開始されると共に、前記検出信号を遅延回路で一定期間遅延させてリセット信号が作成され、このリセット信号に従ってＣＰＵにより電子機器の動作が停止される。
【特許文献１】特開２００１−４６７１０号公報
【特許文献２】特開平８−２２３０１７号公報
【発明の開示】
【発明が解決しようとする課題】
【０００４】
しかしながら、上述した従来技術では、遅延回路を用いて電源電圧の低下時にＲＡＭに展開しているデータの待避処理のための処理時間を確保するため、遅延回路を設けることにより機器構成が複雑化する。
【０００５】
そこで、本発明の解決すべき課題は、遅延回路等の特別な回路を設けることなく、電源電圧の遮断時に確実にデータの退避処理を行うことができる電子機器の提供である。
【課題を解決するための手段】
【０００６】
上記の課題を解決するため、請求項１の発明では、入力電圧に基づいて複数の出力電圧を作成し、各出力電圧を複数の電源チャネルからそれぞれ出力する電源供給部を備える電子機器において、複数の前記電源チャネルのうち、前記入力電圧の遮断時における出力電圧の立下りタイミングが異なる２つの電源チャネルの電圧値を監視し、立下りタイミングが早い第１電源チャネルの電圧値が第１閾値まで低下したことを検知すると、第１検知信号を出力し、立下りタイミングが遅い第２電源チャネルの電圧値が第２閾値まで低下したことを検知すると、第２検知信号を出力する電圧検知部と、前記第１検知信号を受信すると、データの退避処理を行い、前記第２検知信号を受信すると、当該電子機器の動作を停止させる制御部とを備える。
【０００７】
また、請求項２の発明では、請求項１に係る電子機器において、前記第２電源チャネルの電流容量は、前記第１電源チャネルの電流容量よりも大きい値に設定されている。
【０００８】
また、請求項３の発明では、請求項２に係る電子機器において、前記第１電源チャネルの定格電圧値は５．０ボルトであり、前記第２電源チャネルの定格電圧値は３．３ボルトである。
【発明の効果】
【０００９】
請求項１に記載の発明によれば、例えば停電によって入力電圧が遮断されたとき、立下りタイミングが早い第１電源チャネルの電圧値が第１閾値まで低下したことが電圧検知部によって検知されると、第１検知信号が制御部に出力される。制御部は、第１検知信号を受信すると、データの退避処理を行う。続いて、立下りタイミングが遅い第２電源チャネルの電圧値が第２閾値まで低下したことが電圧検知部によって検知されると、第２検知信号が制御部に出力される。制御部は、第２検知信号を受信すると、電子機器の動作を停止させる。
【００１０】
このように２つの電源チャネルの電圧値の立下りタイミングのずれを利用してデータの退避処理と電子機器の動作の停止とを行うようにしたので、従来技術で用いられていた遅延回路が不要となり、比較的簡単な構成で実現することができる。また、電源チャネルの電圧値の立下りタイミングはばらつきが少なく安定しているので、電子機器の動作が停止するまでに確実にデータの退避処理を行うことができる。
【００１１】
請求項２に記載の発明によれば、第２電源チャネルの電流容量は第１電源チャネルよりも大きい値に設定されているので、第２電源チャネルの電圧値の立下りタイミングは、第１電源チャネルの電圧値の立下りタイミングよりも遅くなる。一般的な電子機器では、メインとなる電源チャネルの電流容量は、出力電圧が供給されるデバイスの数が多いので、最も大きい値に設定されている。したがって、電子機器においてメインの電源チャネルとサブの電源チャネルとを利用すれば、本発明を実施することができる。
【００１２】
請求項３に記載の発明によれば、定格電圧値が３．３ボルトの電源チャネルがメインの電源チャネルとして用いられ、定格電圧値が５．０ボルトの電源チャネルがサブの電源チャネルとして用いられているような電子機器の場合、これらの２つの電源チャネルを利用すれば、本発明を実施することができる。
【発明を実施するための最良の形態】
【００１３】
図１は、本発明の一実施形態に係る電子機器１の概略的構成を示すブロック図である。この電子機器１は、図１に示すように、電源供給部としての電源ユニット１１と、電圧検知部１２と、制御部１３とを備えている。
【００１４】
電源ユニット１１は、商用交流電源１０から供給される入力電圧に基づいて、複数種類（本実施形態では３種類）の出力電圧を作成し、３つの出力電圧をそれぞれ第１〜第３電源チャネルＣＨ１，ＣＨ２，ＣＨ３から出力する。本実施形態では、電源ユニット１１は、第１電源チャネルＣＨ１に定格電圧値５．０ボルトの出力電圧を出力し、第２電源チャネルＣＨ２に定格電圧値３．３ボルトの出力電圧を出力する。
【００１５】
本実施形態に係る電子機器では、定格電圧値が３．３ボルトの電源チャネルがメインの電源チャネルとして用いられ、定格電圧値が５．０ボルトの電源チャネルがサブの電源チャネルとして用いられている。そのため、第２電源チャネルＣＨ２の電流容量は、第１電源チャネルＣＨ１及び第３電源チャネルＣＨ３の各電流容量よりも大きい値に設定されている。このような電流容量の違いにより、入力電圧の遮断時において、第１電源チャネルＣＨ１の出力電圧の立下りタイミングは、第２電源チャネルＣＨ２の出力電圧の立下りタイミングよりも早くなる。
【００１６】
電圧検知部１２は、入力電圧の遮断時における出力電圧の立下りタイミングが異なる２つの電源チャネル、即ち第１及び第２電源チャネルＣＨ１，ＣＨ２の電圧値を監視する。そして、電圧検知部１２は、立下りタイミングが早い第１電源チャネルＣＨ１の電圧値が第１閾値ＴＨ１まで低下したことを検知すると、データの退避処理の開始を指示する開始信号ＮＭＩ（第１検知信号）を、制御部１３に出力する。第１閾値ＴＨ１は、例えば４．７ボルト又は４．８ボルトに設定される。
【００１７】
さらに、電圧検知部１２は、立下りタイミングが遅い電源チャネルＣＨ２の電圧値が第２閾値ＴＨ２まで低下したことを検知すると、電子機器１の動作を停止させるリセット信号ＲＥＳ（第２検知信号）を、制御部１３に出力する。第２閾値ＴＨ２は、例えば３．０ボルトに設定される。
【００１８】
制御部１３は、マイクロコンピュータ、ＲＡＭ、不揮発性メモリ等を備えて構成され、開始信号ＮＭＩを受信すると、データの退避処理を行う。データの退避処理とは例えば、ＲＡＭ上に展開されているデータを不揮発性メモリに書き込む処理である。また、制御部１３は、リセット信号ＲＥＳを受信すると、電子機器１の動作を停止させる。
【００１９】
本実施形態は、電子機器１への入力電圧の遮断時に確実にデータの退避処理を行うようにすることを主眼としている。
【００２０】
図２は、入力電圧の遮断時における電子機器１の動作を説明するためのタイミングチャートである。電子機器１の電源スイッチがオンになると（時刻ｔ０）、電源ユニット１１に商用交流電源１０からの入力電圧が供給される。電源ユニット１１は、第１電源チャネルＣＨ１の出力電圧を５．０ボルトに立ち上げ、第２電源チャネルＣＨ２の出力電圧を３．３ボルトに立ち上げる。また、電圧検知部１２は、開始信号ＮＭＩ及びリセット信号ＲＥＳをそれぞれハイレベルとする。開始信号ＮＭＩ及びリセット信号ＲＥＳは、ローアクティブ信号である。
【００２１】
ここで、時刻ｔ１において、例えば停電によって商用交流電源１０からの入力電圧が遮断されたとする。上述したように第１電源チャネルＣＨ１の電流容量は第２電源チャネルＣＨ２に比べて小さいので、直ちに出力電圧の電圧値は低下し、時刻ｔ２において、第１閾値ＴＨ１まで低下する。電圧検知部１２は、第１電源チャネルＣＨ１の電圧値が第１閾値ＴＨ１まで低下したことを検知すると（時刻ｔ２）、開始信号ＮＭＩをローレベルとする。これによって、制御部１３は、データの退避処理を開始する。
【００２２】
一方、第２電源チャネルＣＨ２の電流容量は第１電源チャネルＣＨ１に比べて大きいので、出力電圧の電圧値は一定期間３．３ボルト付近で維持された後に低下し、時刻ｔ３において、第２閾値ＴＨ２まで低下する。電圧検知部１２は、第２電源チャネルＣＨ２の電圧値が第２閾値ＴＨ２まで低下したことを検知すると（時刻ｔ３）、リセット信号ＲＥＳをローレベルにする。これによって、制御部１３は、電子機器１の動作を停止させる。したがって、電子機器１では、時刻ｔ２から時刻ｔ３までの期間Ｗ１がデータの退避処理を行うための期間として確保される。
【００２３】
以上のように本実施形態によれば、２つの電源チャネルＣＨ１，ＣＨ２の電圧値の立下りタイミングのずれを利用してデータの退避処理と電子機器１の動作の停止とを行うようにしたので、従来技術で用いられていた遅延回路が不要となり、比較的簡単な構成で実現することができる。また、電源チャネルＣＨ１，ＣＨ２の電圧値の立下りタイミングはばらつきが少なく安定しているので、電子機器１の動作が停止するまでに確実にデータの退避処理を行うことができる。
【００２４】
上記実施形態では、２つの電源チャネルの組み合わせとして第１及び第２電源チャネルＣＨ１，ＣＨ２を用いたけれども、充分な退避処理期間を確保できるのであれば、他の電源チャネルの組み合わせであっても同様に実施できる。
【００２５】
なお、本発明は、マイクロコンピュータとＲＡＭと不揮発性メモリとを備えた電子機器であれば、ファクシミリ装置やネットワーク複合機などの様々な電子機器に適用できる。
【図面の簡単な説明】
【００２６】
【図１】本発明の一実施形態に係る電子機器の概略的構成を示すブロック図である。
【図２】入力電圧の遮断時における電子機器の動作を説明するためのタイミングチャートである。
【符号の説明】
【００２７】
１  電子機器
１１  電源ユニット
１２  電圧検知部
１３  制御部
ＣＨ１  第１電源チャネル
ＣＨ２  第２電源チャネル
ＮＭＩ  開始信号（第１検知信号）
ＲＥＳ  リセット信号（第２検知信号）
ＴＨ１  第１閾値
ＴＨ２  第２閾値
【図１】
2008288926.tif 000003
【図２】
2008288926.tif 000004